(57)【要約】【課題】ドライバーが普段使用している携帯型パーソナルコンピュータを車に取り付けて使用でき、車外の家庭や会社等と車内をシームレスにして使用することができ、非常に便利なパーソナルコンピュータの使用状況にできるパーソナルコンピュータ車内設置装置を提供すること。【解決手段】パーソナルコンピュータを車両に搭載して使用できるようにするＰＣ車載装置３であって、ノート型パソコン６を取り外し自在に取り付ける板ばね３１１を有するＰＣ支持台３１を車両のインストルメントパネル２内部に設け、板ばね３１１を有するＰＣ支持台３１で取り付けたノート型パソコン６の表示面６１を車室内１で見るための奥側鏡３５と手前側鏡３４をインストルメントパネル２に設けた。【選択図】        図４
2004224127.tif 000002
【特許請求の範囲】
【請求項１】
パーソナルコンピュータを車両に搭載して使用できるようにするパーソナルコンピュータ車内設置装置であって、
携帯型パーソナルコンピュータを取り外し自在に取り付けるＰＣ取付手段を車両のインストルメントパネル内部に設け、同ＰＣ取付手段で取り付けた携帯型パーソナルコンピュータの表示面を車室内で見るための表示手段をインストルメントパネルに設けたことを特徴とするパーソナルコンピュータ車内設置装置。
【請求項２】
請求項１に記載されたパーソナルコンピュータ車内設置装置において、
ＰＣ取付手段が、車載装置と携帯型パーソナルコンピュータとのデータ通信を行うデータ接続部を設けていることを特徴とするパーソナルコンピュータ車内設置装置。
【請求項３】
請求項２に記載されたパーソナルコンピュータ車内設置装置において、
データ接続部が、車両に設けたコントローラーエリアネットワークのラインに携帯型パーソナルコンピュータのデータ入出力部を接続したものであることを特徴とするパーソナルコンピュータ車内設置装置。
【請求項４】
請求項１から請求項３に記載されたパーソナルコンピュータ車内設置装置において、
ＰＣ取付手段で取り付けた携帯型パーソナルコンピュータの上下位置を調整する上下動手段を設けたことを特徴とするパーソナルコンピュータ車内設置装置。
【請求項５】
請求項１から請求項４に記載されたパーソナルコンピュータ車内設置装置において、
表示手段が、インストルメントパネルに開口部を設け、携帯型パーソナルコンピュータの表示部を反射させて表示する鏡体を設け、同鏡体で反射させる虚像を前記開口部を通して見せるものであることを特徴とするパーソナルコンピュータ車内設置装置。
【請求項６】
請求項５に記載されたパーソナルコンピュータ車内設置装置において、
携帯型パーソナルコンピュータの表示部を複数の鏡体で反射させて表示するようにしたことを特徴とするパーソナルコンピュータ車内設置装置。
【請求項７】
請求項５または請求項６に記載されたパーソナルコンピュータ車内設置装置において、
鏡体を所定の角度位置に支持する鏡体支持部を表示部周辺のインストルメントパネル内部に取り付けるようにして設け、前記鏡体支持部と前記表示部周辺のインストルメントパネルとが一体として上方に回転する構造にし、前記鏡体支持部と前記表示部周辺のインストルメントパネルとが一体として上方に回転するとＰＣ取付手段が露出するようにしたことを特徴とするパーソナルコンピュータ車内設置装置。
【請求項８】
請求項１から請求項７に記載されたパーソナルコンピュータ車内設置装置において、
ＰＣ取付手段が、携帯型パーソナルコンピュータの表示部の裏側部分を平面板形状のＰＣ支持台上に載せ、載せた携帯型パーソナルコンピュータを保持部で保持するものであることを特徴とするパーソナルコンピュータ車内設置装置。
【請求項９】
請求項８に記載されたパーソナルコンピュータ車内設置装置において、
ＰＣ取付手段の保持部が、ＰＣ支持台上の３方の端部から中央に向かってバネで押圧して保持するものであることを特徴とするパーソナルコンピュータ車内設置装置。
【請求項１０】
請求項２から請求項９に記載されたパーソナルコンピュータ車内設置装置において、
ＰＣ取付手段で取り付けた携帯型パーソナルコンピュータが車載装置の表示部を兼ねるようにしたことを特徴とするパーソナルコンピュータ車内設置装置。
【請求項１１】
請求項１０に記載されたパーソナルコンピュータ車内設置装置において、
ＰＣ取付手段をインストルメントパネルのメーターパネルの内部に設け、ＰＣ取付手段で取り付けた携帯型パーソナルコンピュータがメーターパネルの表示部を兼ねるようにしたことを特徴とするパーソナルコンピュータ車内設置装置。
【請求項１２】
請求項１０または請求項１１に記載されたパーソナルコンピュータ車内設置装置において、
ＰＣ取付手段で取り付けた携帯型パーソナルコンピュータと車両の状態を連動させて、車両が走行中の場合は携帯型パーソナルコンピュータを車載装置として使用しパーソナルコンピュータとしては使用できないよう制限したことを特徴とするパーソナルコンピュータ車内設置装置。
【請求項１３】
請求項１０から請求項１２に記載されたパーソナルコンピュータ車内設置装置において、
ＰＣ取付手段で取り付けた携帯型パーソナルコンピュータが車載装置の表示ができない場合に車載装置の最低限の表示を行う簡易表示手段を設けたことを特徴とするパーソナルコンピュータ車内設置装置。
【発明の詳細な説明】
【０００１】
【発明の属する技術分野】
本発明は、パーソナルコンピュータを車室内に持ち込んで設置し、車室内で使用できるようにするパーソナルコンピュータ車内設置装置の技術分野に属する。
【０００２】
【従来の技術】
従来においては、車内に携帯電話を設置するステーを開発し、携帯電話の利用を便利にしている（例えば、特許文献１参照。）。
【０００３】
また、ＰＤＡ（携帯端末）専用の設置場所を用意し、ＧＰＳとの接続を行い車外と情報を送受信しているものもある（例えば、特許文献２参照。）。
【０００４】
【特許文献１】
特開２００２−１２７８３４
【０００５】
【特許文献２】
特開２００２−２３６６３２号公報
【０００６】
【発明が解決しようとする課題】
しかしながら、従来にあっては、携帯電話やＰＤＡに比べ携帯型パーソナルコンピュータは大きいため、車内で使いやすいよう設置できなかった。近年、ノートブック型の携帯型パーソナルコンピュータが小型化しているが、携帯電話やＰＤＡに比べ大きいものとなっていた。
【０００７】
このため、携帯型パーソナルコンピュータの多彩な機能（メール、音声認識合成、高度なグラフィック等）を運転中は活用できなかった。また、一方では、近年、メール、音声認識合成、高度なグラフィック等の機能を有する車載装置を搭載する車両が増えてきた。
【０００８】
しかし、車両内携帯型パーソナルコンピュータを持ち込む場合には、運転中に携帯型パーソナルコンピュータを使用するのは危険であるが、それが可能であるために、危険な使用環境となり、安全性からは好ましくないものであった。
【０００９】
また、高度な機能を持つ車載装置を搭載した車両に携帯型パーソナルコンピュータを持ち込むと機能が重複する部分が多く、その分の車両のコストアップを無駄に感じるユーザーもあった。また、メール等ではそれぞれにコストがかかるものであった。
【００１０】
本発明は、上記問題点に着目してなされたもので、その目的とするところは、ドライバーが普段使用している携帯型パーソナルコンピュータを車に取り付けて使用でき、車外の家庭や会社等と車内をシームレスにして使用することができ、非常に便利なパーソナルコンピュータの使用状況にできるパーソナルコンピュータ車内設置装置を提供することにある。
【００１１】
【課題を解決するための手段】
上記目的を達成するため、請求項１記載の発明では、パーソナルコンピュータを車両に搭載して使用できるようにするパーソナルコンピュータ車内設置装置であって、携帯型パーソナルコンピュータを取り外し自在に取り付けるＰＣ取付手段を車両のインストルメントパネル内部に設け、ＰＣ取付手段で取り付けた携帯型パーソナルコンピュータの表示面を車室内で見るための表示手段をインストルメントパネルに設けたことを特徴とする手段とした。
【００１２】
請求項２記載の発明では、ＰＣ取付手段が、車載装置と携帯型パーソナルコンピュータとのデータ通信を行うデータ接続部を設けていることを特徴とする手段とした。
【００１３】
請求項３記載の発明では、データ接続部が、車両に設けたコントローラーエリアネットワークのラインに携帯型パーソナルコンピュータのデータ入出力部を接続したものであることを特徴とする手段とした。
【００１４】
請求項４記載の発明では、ＰＣ取付手段で取り付けた携帯型パーソナルコンピュータの上下位置を調整する上下動手段を設けたことを特徴とする手段とした。
【００１５】
請求項５記載の発明では、表示手段が、インストルメントパネルに開口部を設け、携帯型パーソナルコンピュータの表示部を反射させて表示する鏡体を設け、鏡体で反射させる虚像を開口部を通して見せるものであることを特徴とする手段とした。
【００１６】
請求項６記載の発明では、携帯型パーソナルコンピュータの表示部を複数の鏡体で反射させて表示するようにしたことを特徴とする手段とした。
【００１７】
請求項７記載の発明では、鏡体を所定の角度位置に支持する鏡体支持部を表示部周辺のインストルメントパネル内部に取り付けるようにして設け、鏡体支持部と表示部周辺のインストルメントパネルとが一体として上方に回転する構造にし、鏡体支持部と表示部周辺のインストルメントパネルとが一体として上方に回転するとＰＣ取付手段が露出するようにしたことを特徴とする手段とした。
【００１８】
請求項８記載の発明では、ＰＣ取付手段が、携帯型パーソナルコンピュータの表示部の裏側部分を平面板形状のＰＣ支持台上に載せ、載せた携帯型パーソナルコンピュータを保持部で保持するものであることを特徴とする手段とした。
【００１９】
この発明において、「表示部の裏側部分」とは、キーボードのある本体と表示面を折りたためるものの場合で略Ｌ字状に開いて搭載する場合には、表示部の裏面を指し、キーボードのある面と表示部が表側となるように逆Ｖ字状に折りたたんで使用する際には、キーボードのある面を指し、一枚物形状の携帯型パーソナルコンピュータの場合には、表示部の裏面を指すものとする。
【００２０】
請求項９記載の発明では、ＰＣ取付手段の保持部が、ＰＣ支持台上の３方の端部から中央に向かってバネで押圧して保持するものであることを特徴とする手段とした。
【００２１】
請求項１０記載の発明では、ＰＣ取付手段で取り付けた携帯型パーソナルコンピュータが車載装置の表示部を兼ねるようにしたことを特徴とする手段とした。
【００２２】
請求項１１記載の発明では、ＰＣ取付手段をインストルメントパネルのメーターパネルの内部に設け、ＰＣ取付手段で取り付けた携帯型パーソナルコンピュータがメーターパネルの表示部を兼ねるようにしたことを特徴とする手段とした。
【００２３】
請求項１２記載の発明では、ＰＣ取付手段で取り付けた携帯型パーソナルコンピュータと車両の状態を連動させて、車両が走行中の場合は携帯型パーソナルコンピュータを車載装置として使用しパーソナルコンピュータとしては使用できないよう制限したことを特徴とする手段とした。
【００２４】
請求項１３記載の発明では、ＰＣ取付手段で取り付けた携帯型パーソナルコンピュータが車載装置の表示ができない場合に車載装置の最低限の表示を行う簡易表示手段を設けたことを特徴とする手段とした。
【００２５】
【発明の作用と効果】
請求項１記載の発明では、家庭や会社などで使用している携帯型パーソナルコンピュータを車内に持ち込んで、ＰＣ取付手段でインストルメントパネルに内部に取り付ける。インストルメントパネルには、表示手段を設けているので携帯型パーソナルコンピュータの表示面を見ることができる。このようにインストルメントパネルの内部に取り付けることにより、設置場所に困ることなく、また、助手席等を使用できなくなることなく、携帯型パーソナルコンピュータを車内に設置して使用できる。また、無理な体勢で使用するようなことがないようにできる。
さらに、車内から持ち出す場合には、ＰＣ取付手段は取り外し自在のため、取り外して持ち出せばよい。さらに、同じ携帯型パーソナルコンピュータを家庭や会社等と車内で使用できるため、当然にデータ等も同じものが使用できシームレスとなる。
また、インストルメントパネル内部に携帯型パーソナルコンピュータを収容できるので、助手席等に置いてある状態より盗難に会いにくくできる。
【００２６】
請求項２記載の発明では、データ接続部によって、車載装置と携帯型パーソナルコンピュータとがデータ通信を行うことが可能となり、車両の状況や車載装置の情報を携帯型パーソナルコンピュータで使用することができ、また、携帯型パーソナルコンピュータの情報を車両で使用することができるので、さらに多彩な機能を活用でき、非常に便利に使用できる。
【００２７】
請求項３記載の発明では、データ接続部が、車両に設けたコントローラーエリアネットワークのラインと携帯型パーソナルコンピュータのデータ入出力部の間で、データをやりとりすることによって、車載装置と携帯型パーソナルコンピュータとがデータ通信を行うことが可能となり、車両の状況や車載装置の情報を携帯型パーソナルコンピュータで使用することができ、また、携帯型パーソナルコンピュータの情報を車両で使用することができるので、さらに多彩な機能を活用でき、非常に便利に使用できる。
【００２８】
請求項４記載の発明では、ＰＣ取付手段で取り付けた携帯型パーソナルコンピュータの上下位置を上下動手段で調整する。車両に乗り込んだ搭乗者には、身長や姿勢等の違いによって、目の高さが異なるため、取り付けた携帯型パーソナルコンピュータの表示面を表示手段によって見る際に見やすい高さにできるので、搭乗者に対応して見やすくできる。
【００２９】
請求項５記載の発明では、携帯型パーソナルコンピュータの表示部を鏡体で反射させ、その虚像をインストルメントパネルの開口部を通して見せる。よって、携帯型パーソナルコンピュータをインストルメントパネル内部で安定させた取り付けにしつつ、表示の色等を損なうことなく見せることができる。
【００３０】
また、携帯型パーソナルコンピュータに直接日光が当りにくくなるため、直射日光により表示が見にくくなることがないようにでき、より見やすくすることができる。
【００３１】
請求項６記載の発明では、携帯型パーソナルコンピュータの表示部を複数の鏡体で反射させるので、携帯型パーソナルコンピュータの表示面から鏡体の上端までの距離を小さく抑えることができ、省スペースで携帯型パーソナルコンピュータをインストルメントパネル内部に収容でき、フロントガラスを通して見る視界を狭くすることがないようにできる。
【００３２】
請求項７記載の発明では、携帯型パーソナルコンピュータを車両に取り付ける際には、表示部周辺のインストルメントパネル部分を上方に開くように回転させる。すると、表示部周辺のインストルメントパネル部分と一体にした鏡体支持部と、この鏡体支持部で支持された鏡体がともに上方に開くようになり、インストルメントパネル内部のＰＣ取付手段が露出するので、携帯型パーソナルコンピュータを取り付ければよい。その後、表示部周辺のインストルメントパネル部分を閉じるようにすれば、簡単に携帯型パーソナルコンピュータを取り付けることができ、取り外しも容易にできる。
【００３３】
請求項８記載の発明では、携帯型パーソナルコンピュータをＰＣ取付手段に取り付ける場合には、携帯型パーソナルコンピュータの表示部の裏側部分を平面板形状のＰＣ支持台上に載せ、載せた携帯型パーソナルコンピュータを保持部で保持する。よって、携帯型パーソナルコンピュータの表示面を傷つけることなく、ＰＣ支持台上に携帯型パーソナルコンピュータを載せるようにして簡単に取り付けができる。
【００３４】
請求項９記載の発明では、携帯型パーソナルコンピュータの表示部の裏側部分を平面板形状のＰＣ支持台上に載せると、ＰＣ支持台上の３方の端部から中央に向かってバネで押圧するので、携帯型パーソナルコンピュータは３方からバネで押圧されることとなり、その位置が保持される。よって、簡単な構造で保持ができる。また、振動等があった際にバネで保持することにより衝撃や振動が吸収されるので、携帯型パーソナルコンピュータにダメージを与えないようにできる。また、携帯型パーソナルコンピュータの大きさが異なる際にもバネの弾性変形により対応が可能となる。
【００３５】
請求項１０記載の発明では、ＰＣ取付手段で取り付けた携帯型パーソナルコンピュータが車載装置の表示部を兼ねるため、携帯型パーソナルコンピュータの多彩な表示で車載装置の表示ができ、より多機能な表示ができ、非常に見やすく便利な表示にできる。
【００３６】
請求項１１記載の発明では、ＰＣ取付手段をインストルメントパネルのメーターパネルの内部に設けるので、メーターパネルの表示を高機能で多彩なより見やすい表示にできる。また、運転等の邪魔な設置とならず、ドライバーは無理な体勢を取ることなく使用できる。
【００３７】
請求項１２記載の発明では、車両が走行中の場合は携帯型パーソナルコンピュータを車載装置として使用し、パーソナルコンピュータとしては使用できないよう制限する。このように携帯型パーソナルコンピュータと車両の状態を連動させることによって、運転中に携帯型パーソナルコンピュータが使用できない運転環境にすることによって、より安全性を高めることができる。
【００３８】
請求項１３記載の発明では、ＰＣ取付手段で取り付けた携帯型パーソナルコンピュータが車載装置の表示ができない場合には、簡易表示手段によって、車載装置の最低限の表示を行うようにし、走行や車載装置に支障がないようにし、安心して使用できる車載装置の表示となるようにできる。
【００３９】
【発明の実施の形態】
以下、本発明のパーソナルコンピュータ車内設置装置を実現する実施の形態を、請求項１〜１３に係る発明に対応する第１実施例に基づいて説明する。
【００４０】
（実施例）
【００４１】
まず、構成を説明する。
図１〜３は実施例のパーソナルコンピュータ車内設置装置の鏡体支持部を示す図である。図４は実施例のパーソナルコンピュータ車内設置装置の鏡体支持部ノート型パソコン６との位置関係を示す説明図である。図５は実施例のパーソナルコンピュータ車内設置装置の説明図である。図６は実施例のパーソナルコンピュータ車内設置装置のノート型パソコン６を取り付け可能な状態を示す説明図である。図７から９は実施例のパーソナルコンピュータ車内設置装置の説明図である。図１０は実施例のパーソナルコンピュータ車内設置装置の車両のＣＡＮへの接続状況を示す説明図である。
【００４２】
図１〜１０における主要符号を説明すると、１は車室内、２はインストルメントパネル、２１は開口部、２２はカバー（表示部周辺のインストルメントパネル）、３はＰＣ車載装置（パーソナルコンピュータ車内設置装置）、３１はＰＣ支持台（３１と３１１でＰＣ取付手段を構成する）、３１１は板ばね（保持部）、３１２はＵＳＢ接続端子、３２は回転カム（上下動手段）、３３は筐体（鏡体支持部）、３４は手前側鏡（鏡体）、３５は奥側鏡（鏡体）、４はステアリング、５１はＣＡＮのネットワークライン、５２は車速センサ、５３は各種センサ、５４はＣＡＮとＵＳＢの変換インターフェース、６はノート型パソコン（携帯型パーソナルコンピュータ）、６１はノート型パソコンの表示面である。
【００４３】
実施例のＰＣ車載装置３では、車室内１のインストルメントパネル２のメーターパネル部分を、図５，６に示すように奥側部分を回転軸とするようにして開閉可能な構造にし、この開閉可能な部分を図３に示すようにカバー２２とする。
【００４４】
このカバー２２には、インストルメントパネル２の内部が見えるように開口部２１を設ける。
【００４５】
このカバー２２の内部には筐体３３を設ける。筐体３３は、図１，２に示すように断面がＬ字状の部材によって、奥側鏡３５と手前側鏡３４を所定の間隔で所定の傾きとなるように支持する構成にしている。
【００４６】
カバー２２を図６に示すように開けた状態にした際に露出するインストルメントパネル２の内部には、上面が平面状となるＰＣ支持台３１を設ける。ＰＣ支持台３１には、図７に示すように奥と左右から中央に向かって凸となるように湾曲した板ばね３１１を設ける。また、ＰＣ支持台３１の奥側には、図７に示すようにノート型パソコン６を取り付けると接続されるようにＵＳＢ接続端子３１２を設ける。
【００４７】
このＵＳＢ接続端子３１２は図１０に示すようにＣＡＮのネットワークライン５１にＣＡＮとＵＳＢの変換インターフェース５４を介して接続される。また、このネットワークライン５１には車速センサ５２や他の各種センサ５３が接続され、信号により情報をやりとりできるようにしている。
【００４８】
ＰＣ支持台３１の下方には、回転軸の回転により断面が楕円形状のカムが回転して上端となるカム外周位置が上下に変化する回転カム３２を設け、ＰＣ支持台３１を所定の範囲で上下動自在に設け、回転カム３２の上端をＰＣ支持台３１の下面に当接させて高さを決めるようにする。この回転カム３２の制御は、図示しない制御装置でドライバーのスイッチ操作で行うようにする。
【００４９】
本実施例で車載するノート型パソコン６は、図４に示すように表示面６１とキーボード面を外側にするように逆Ｖ字状に折りたたむようにできるものを車載する。
【００５０】
次に、作用を説明する。
【００５１】
［ノート型パソコンの車載作用］
▲１▼インストルメントパネルへの取り付け
実施例のＰＣ車載装置３を装備した車両にノート型パソコン６を持ち込んだならば、図６に示すように、ステアリング４の奥側のやや上方位置となるインストルメントパネル２のメーターパネル部分に設けたカバー２２の手前側の部分を引き上げるようにする。すると、カバー２２は奥側の一端を軸に回転するようにして開き、インストルメントパネル２の内部が露出する状態となる。このカバー２２を開けた際には、カバー２２と一体に設けられている筐体３３と筐体３３に取り付けた奥側鏡３５と手前側鏡３４もともに回転するように開く動きをする。
【００５２】
ノート型パソコン６は、表示面６１と本体部分に設けたキーボード部が外側となるように逆Ｖ字状に折りたたむようにする。
【００５３】
露出したインストルメントパネル２内部には、ＰＣ支持台３１が設けられているので、図７〜９に示すように、逆Ｖ字状に折りたたんだノート型パソコン６を表示面６１を上にしてＰＣ支持台３１上に載せるようにする。この際には、手前側から差し入れるようにして、ＰＣ支持台３１上の左右と奥に設けられた板ばね３１１によってノート型パソコン６が中央に向かって押圧されて支持されるようにする。また、ノート型パソコン６を手前側から奥に向かって差し入れる際には、ノート型パソコン６の側面のＵＳＢ接続ポートがＰＣ支持台３１に設けられているＵＳＢ接続端子３１２と接続するようにする。
【００５４】
このようにして、ノート型パソコン６をＰＣ支持台３１に取り付けたならば、カバー２２を閉じて図５に示す状態にする。このようにカバー２２を閉じると、図４に示すようにカバー２２と一体に設けた筐体３３の下部にノート型パソコン６が位置することとなる。
【００５５】
▲２▼異なる大きさのノート型パソコンへの対応
ノート型パソコン６をＰＣ支持台３１に取り付ける際には、板ばね３１１で押圧されるようになるため、大きさが異なるノート型パソコン６であっても、板ばね３１１の弾性変形の許容する範囲のものであれば適度に押圧された取り付けが行える。よって、異なる大きさのノート型パソコン６であっても取り付けることができる。
【００５６】
▲３▼省スペース化
メーターパネル部分のカバー２２の内部の筐体３３には、ノート型パソコン６の表示面６１を反射する鏡を設けているが、この鏡は奥側鏡３５と手前側鏡３４に分けるようにしているので、それぞれ奥側鏡３５と手前側鏡３４は高さを抑えられることとなり、インストルメントパネル２からのカバー２２全体の高さを抑えることとなる。これにより、ドライバーがフロントガラスを通して見る視界を狭くすることがないようにする。
【００５７】
また、このようにノート型パソコン６は、インストルメントパネル２内部に収容されるため、助手席を使用できなくしたり、運転の邪魔になるようなことがない。
よって、ノート型パソコン６を車内に持ち込んでも車室内１を広く使用できる。
【００５８】
▲４▼位置調整作用
図５に示すようにノート型パソコン６を取り付けたならば、次にドライバーの目の高さに合うように、ノート型パソコン６の上下位置を調整する。この調整をする際には、図示しない操作を行って、ＰＣ支持台３１の下方に設けられている回転カム３２を回転移動させる。回転カム３２が回転すると回転カム３２の上端高さは上下動することとなり、回転カム３２に下端が当接しているＰＣ支持台３１が上下動して位置を調整する。このようにしてノート型パソコン６の上下動位置を調整して見やすいようにする。
【００５９】
▲５▼インストルメントパネルからの取り外し
ノート型パソコン６を車から外部に持ち出すには、図５の状態から、図６に示すようにカバー２２を開き、ノート型パソコン６を引き出すようにし、ノート型パソコン６のＵＳＢ接続ポートとＵＳＢ接続端子３１２が外れ、且つ板ばね３１１による支持から離れるようにする。その後、カバー２２を閉じる。このように簡単な操作で取り外しは行われる。
【００６０】
［シームレス化］
このように、家庭や会社などで使用しているノート型パソコン６を車に搭載できることは、ノート型パソコン６に保存された情報をＣＤ−ＲＯＭやＦＤＤ等のメディアを介さずに車内と共有でき、また、それぞれが同じサーバーに通信して同じデータを得るような無駄もない。よって、家庭や会社などと車内がシームレス化される。
【００６１】
［盗難防止作用］
図５に示すように実施例のＰＣ車載装置３では、インストルメントパネル２の内部にノート型パソコン６を収容するので、外部から車内を覗き込んだ際にノート型パソコン６が目立つようなことがなく、狙われにくくなり盗難に会うのを防ぐこととなる。また、インストルメントパネル２のメーターパネル部分は、ノート型パソコン６の表示部を奥側鏡３５と手前側鏡３４で反射させるのでノート型パソコン６の表示部の位置は奥まった位置となり、ノート型パソコン６が収容されているかどうかを外部から覗き込んで判断するのが難しい。よって、盗難に会いにくくなる。
【００６２】
［メーターパネルの表示作用］
本実施例のＰＣ車載装置３にノート型パソコン６を取り付けた場合には、ノート型パソコン６のＵＳＢ接続ポートとＰＣ支持台３１のＵＳＢ接続端子３１２が接続することにより、図１０に示すように、車に設けられているＣＡＮのネットワークライン５１にノート型パソコン６が接続されることとなり、データの入出力が可能となる。本実施例では、車速センサ５２やエンジン回転センサなどからノート型パソコン６にデータを取り込んで、ノート型パソコン６の表示部にメーターパネルの表示を行う。
【００６３】
このメーターパネルの表示は、奥側鏡３５と手前側鏡３４によって、分割して反射させ、カバー２２に設けた開口部２１を通して虚像でドライバーに見せる。奥側鏡３５および手前側鏡３４で虚像で見せるメーター表示は、ドライバーの視線に対して直角な面として見せることができ、従来のメーターパネルに対して、無理に目や頭を動かすことなく見ることができる。また、ノート型パソコン６の表示の色彩等を損なうことなくドライバーに見せる。
【００６４】
ノート型パソコン６の表示面６１で表示することによって、多彩な色彩での表示や、それを好みに応じて変えたり、変化させたりできる。また、ＣＡＮを介して得られる車両の情報から警告や重要な情報を表示させてもよい。この場合には、メーターパネルへ表示させることで、確実にドライバーに気づかせることとなる。
【００６５】
また、このようにカバー２２で覆われた内部に表示面６１を位置させることによって、表示面６１に直射日光が当りにくくなるため、適度な暗さとなり見やすくなる。
【００６６】
［ノート型パソコンとしての使用］
この車両を駐車させるなどして、ノート型パソコン６を使用する場合には、ドライバーは無理な姿勢を取ることなく使用ができる。この際には、ノート型パソコン６はＣＡＮにより各車載装置とデータ交換ができるため、他の車載装置の操作部を操作することによって、ノート型パソコン６を操作するようにしてもよいし、別にキーボードを接続して使用するようにしてもよい。また、車両に車外との通信手段が備えられている場合には、その通信手段でノート型パソコン６がメールやインターネットを行えるようにしてもよい。この外部との通信はノート型パソコン６に携帯電話等を接続して行うようにしてもよい。
【００６７】
［安全性の向上作用］
ノート型パソコン６のメーターパネルとしての表示は、車速センサ５２等から得られる車両の情報で、走行中である場合には、パソコンとしての使用ができないようにして、車両とノート型パソコン６が関連づけされるようにする。これにより、運転者は走行中はノート型パソコン６をパソコンとして使用できない運転環境となり、安全性を向上させた運転環境となるため非常に好ましい。
【００６８】
また、図示しないが、ノート型パソコン６が故障して表示がされない場合や、ノート型パソコン６を取り付けていない場合には、メーターパネルの表示の内、重要なものがセグメント表示で簡易的に行われるようにし、走行に支障がないようにする。
【００６９】
次に、効果を説明する。
【００７０】
実施例のパーソナルコンピュータ車内設置装置にあっては、下記に列挙する効果を得ることができる。
【００７１】
（１）パーソナルコンピュータを車両に搭載して使用できるようにするＰＣ車載装置３であって、ノート型パソコン６を取り外し自在に取り付ける板ばね３１１を有するＰＣ支持台３１を車両のインストルメントパネル２内部に設け、板ばね３１１を有するＰＣ支持台３１で取り付けたノート型パソコン６の表示面６１を車室内１で見るための奥側鏡３５と手前側鏡３４をインストルメントパネル２に設けたため、設置場所に困ることなく、また、助手席等を使用できなくなることなく、ノート型パソコン６を車内に設置して使用できる。また、無理な体勢で使用するようなことがないようにできる。
さらに、車内から持ち出す場合には、板ばね３１１を有するＰＣ支持台３１は取り外し自在のため、取り外して持ち出せばよい。さらに、同じノート型パソコン６を家庭や会社等と車内で使用できるため、当然にデータ等も同じものが使用できシームレスにできる。
【００７２】
（２）板ばね３１１を有するＰＣ支持台３１が、車載装置とノート型パソコン６とのデータ通信を行うＵＳＢ接続端子３１２を設けているため、車両の状況や車載装置の情報をノート型パソコン６で使用することができ、また、ノート型パソコン６の情報を車両で使用することができるので、さらに多彩な機能を活用でき、非常に便利に使用できる。
【００７３】
（３）データ接続部が、車両に設けたＣＡＮのネットワークライン５１にノート型パソコン６のデータ入出力部を接続したものであるため、車両の状況や車載装置の情報をノート型パソコン６で使用することができ、また、ノート型パソコン６の情報を車両で使用することができるので、さらに多彩な機能を活用でき、非常に便利に使用できる。
【００７４】
（４）板ばね３１１を有するＰＣ支持台３１で取り付けたノート型パソコン６の上下位置を調整する回転カム３２を設けたため、取り付けたノート型パソコン６の表示面６１を表示手段によって見る際に見やすい高さにできるので、搭乗者に対応して見やすくできる。
【００７５】
（５）表示手段が、インストルメントパネル２のカバー２２に開口部２１を設け、ノート型パソコン６の表示部を反射させて表示する奥側鏡３５と手前側鏡３４を設け、奥側鏡３５と手前側鏡３４で反射させる虚像を開口部２１を通して見せるものであるため、ノート型パソコン６をインストルメントパネル２内部で安定させた取り付けにしつつ、表示の色等を損なうことなく見せることができる。また、ノート型パソコン６に直接日光が当りにくくなるため、直射日光により表示が見にくくなることがないようにでき、より見やすくすることができる。
【００７６】
（６）ノート型パソコン６の表示部を奥側鏡３５と手前側鏡３４の複数の鏡で反射させて表示するようにしたため、省スペースでノート型パソコン６をインストルメントパネル２内部に収容でき、フロントガラスを通して見る視界を狭くすることがないようにできる。
【００７７】
（７）奥側鏡３５および手前側鏡３４を所定の角度位置に支持する筐体３３をカバー２２内部に取り付けるようにして設け、筐体３３とカバー２２とが一体として上方に回転する構造にし、筐体３３とカバー２２とが一体として上方に回転すると板ばね３１１を有するＰＣ支持台３１が露出するようにしたため、簡単にノート型パソコン６を取り付けることができ、取り外しも容易にできる。
【００７８】
（８）ＰＣ取付手段が、ノート型パソコン６の表示部の裏側部分を平面板形状のＰＣ支持台３１上に載せ、載せたノート型パソコン６を板ばね３１１で保持するものであるため、
ノート型パソコン６の表示面６１を傷つけることなく、ＰＣ支持台３１上にノート型パソコン６を載せるようにして簡単に取り付けができる。
【００７９】
（９）ＰＣ取付手段の保持部が、ＰＣ支持台３１上の３方の端部から中央に向かって板ばね３１１で押圧して保持するものであるため、簡単な構造で保持ができ、ノート型パソコン６に振動や衝撃でダメージを与えないようにでき、ノート型パソコン６の大きさが異なる際にも取付できる。
【００８０】
（１０）板ばね３１１を有するＰＣ支持台３１で取り付けたノート型パソコン６が車載装置の表示部を兼ねるようにしたため、多彩な表示で車載装置の表示ができ、より多機能な表示ができ、非常に見やすく便利な表示にできる。
【００８１】
（１１）板ばね３１１を有するＰＣ支持台３１をインストルメントパネル２のメーターパネルの内部に設け、板ばね３１１を有するＰＣ支持台３１で取り付けたノート型パソコン６がメーターパネルの表示部を兼ねるようにしたため、メーターパネルの表示を高機能で多彩なより見やすい表示にできる。また、運転等の邪魔な設置とならず、ドライバーは無理な体勢を取ることなく使用できる。
【００８２】
（１２）板ばね３１１を有するＰＣ支持台３１で取り付けたノート型パソコン６と車両の状態を連動させて、車両が走行中の場合はノート型パソコン６を車載装置として使用しパーソナルコンピュータとしては使用できないよう制限したため、運転中にノート型パソコン６が使用できない運転環境にすることによって、より安全性を高めることができる。
【００８３】
（１３）板ばね３１１を有するＰＣ支持台３１で取り付けたノート型パソコン６がメーターパネルの表示ができない場合にメーターパネルの最低限の表示を行うセグメント表示を設けたため、走行や車載装置に支障がないようにし、安心して使用できる車載装置の表示となるようにできる。
【００８４】
以上、本発明のパーソナルコンピュータ車内設置装置を実施例に基づき説明してきたが、具体的な構成については、これらの実施例に限られるものではなく、特許請求の範囲の各請求項に係る発明の要旨を逸脱しない限り、設計の変更や追加等は許容される。
【００８５】
例えば、実施例では、ノート型パソコン６は逆Ｖ字状に折りたたんで車載させたが、図１１に示すようにＬ字状にした状態で使用してもよく、また、他の状態で使用できるようにしてもよい。
【００８６】
また、実施例では、ノート型パソコン６がメーターパネルの表示を行うようにしていたが、カーナビゲーションなどの車載装置の表示を行うようにしてもよい。
【００８７】
また、実施例では、板ばね３１１で３方からノート型パソコン６を保持したが、ベルトや押さえ具などでＰＣ支持台３１に取り付けるようにしてもよい。
【００８８】
また、実施例では、鏡体として、奥側鏡３５と手前側鏡３４の２つを用いたが、さらに複数の鏡体を用いてもよく、また一つの鏡体を用いてもよい。また、鏡体は鏡だけでなく、鏡に近い反射率を持つものであれば、鏡体として用いてよい。
【００８９】
また、実施例では、カバー２２を開くように回転させてノート型パソコン６を取り付けたが、インストルメントパネル２にノート型パソコン６の側面より大きい差込み口を設け、この差込み口にノート型パソコン６を差し込むようにして取り付けてもよい。
【００９０】
携帯型パーソナルコンピュータには、ノート型パソコン６だけでなく、パーソナルコンピュータとしての機能を有するものであれば、他の呼称のものでもよい。
【図面の簡単な説明】
【図１】実施例のパーソナルコンピュータ車内設置装置の鏡体支持部を示す図である。
【図２】実施例のパーソナルコンピュータ車内設置装置の鏡体支持部を示す図である。
【図３】実施例のパーソナルコンピュータ車内設置装置の鏡体支持部を示す図である。
【図４】実施例のパーソナルコンピュータ車内設置装置の鏡体支持部とノート型パソコンとの位置関係を示す説明図である。
【図５】実施例のパーソナルコンピュータ車内設置装置の説明図である。
【図６】実施例のパーソナルコンピュータ車内設置装置のノート型パソコンを取り付け可能な状態を示す説明図である。
【図７】実施例のパーソナルコンピュータ車内設置装置の説明図である。
【図８】実施例のパーソナルコンピュータ車内設置装置の説明図である。
【図９】実施例のパーソナルコンピュータ車内設置装置の説明図である。
【図１０】実施例のパーソナルコンピュータ車内設置装置の車両のＣＡＮへの接続状況を示す説明図である。
【図１１】実施例の他の例のパーソナルコンピュータ車内設置装置の鏡体支持部とノート型パソコンとの位置関係を示す説明図である。
【符号の説明】
１  車室内
２  インストルメントパネル
２１  開口部
２２  カバー
３  ＰＣ車載装置
３１  ＰＣ支持台
３１１  板ばね
３１２  ＵＳＢ接続端子
３２  回転カム
３３  筐体
３４  手前側鏡
３５  奥側鏡
４  ステアリング
５１  （ＣＡＮの）ネットワークライン
５２  車速センサ
５３  各種センサ
５４  （ＣＡＮとＵＳＢの）変換インターフェース
６  ノート型パソコン
６１  （ノート型パソコンの）表示面
【図１】
2004224127.tif 000003
【図２】
2004224127.tif 000004
【図３】
2004224127.tif 000005
【図４】
2004224127.tif 000006
【図５】
2004224127.tif 000007
【図６】
2004224127.tif 000008
【図７】
2004224127.tif 000009
【図８】
2004224127.tif 000010
【図９】
2004224127.tif 000011
【図１０】
2004224127.tif 000012
【図１１】
2004224127.tif 000013